(57)【要約】【課題】複雑な条件設定をすることなく記録番組の内容に沿ったチャプタ情報を自動で設定可能なチャプタ自動記録方法およびチャプタ自動記録装置を提供する。【解決手段】まず、録画が開始される（Ｓ１０）と、セクションデータフィルタ１６０３は、デジタル放送信号１１Ａよりセクションデータ１１１を受信する（Ｓ１１）。セクションデータ１１１中にイベント事象が含まれている場合（Ｓ１２；Ｙｅｓ）、フィルタＤＢを呼び出してイベント事象１１１０が条件に合致すると（Ｓ１３；Ｎｏ）、イベント事象を適合イベント事象１１１０ａとする。次に、チャプタ設定部１６０７によって適合イベント事象１１１０ａが実行される時刻と同タイミングのフレームをチャプタ開始位置フレーム１１００ａとしてチャプタ情報１５１を更新する（Ｓ１４）。同時に、イベント事象を実行する（Ｓ１５）。録画が終了すると（Ｓ１６；Ｙｅｓ）、以上の処理を終了する。【選択図】図７
2008011248.tif 000002
【特許請求の範囲】
【請求項１】
デジタル放送信号を受信する受信ステップと、
前記デジタル放送信号に含まれるイベント事象を抽出する抽出ステップと、
前記デジタル放送信号を録画情報として記録する記録ステップと、
前記イベント事象に基づいて前記録画情報にチャプタ情報を設定するチャプタ設定ステップとを有することを特徴とするチャプタ自動記録方法。
【請求項２】
デジタル放送信号を受信する受信ステップと、
前記デジタル放送信号より、予め定めたフィルタ情報の条件に合致したイベント事象を抽出する抽出ステップと、
前記デジタル放送信号を録画情報として記録する記録ステップと、
前記条件に合致したイベント事象に基づいて前記録画情報にチャプタ情報を設定するチャプタ設定ステップとを有することを特徴とするチャプタ自動記録方法。
【請求項３】
デジタル放送信号を受信する受信ステップと、
前記デジタル放送信号より、予め定めたフィルタ情報の条件に合致したイベント事象を抽出する抽出ステップと、
前記デジタル放送信号を録画情報として記録する記録ステップと、
前記条件に合致したイベント事象に基づいて前記録画情報にチャプタ情報を設定するチャプタ設定ステップと、
外部操作に従って前記チャプタ情報が削除された場合に、削除されたチャプタ情報に基づきチャプタ学習情報を前記フィルタ情報に設定する学習ステップとを有することを特徴とするチャプタ自動記録方法。
【請求項４】
デジタル放送信号を受信する受信ステップと、
前記デジタル放送信号より、予め定めたフィルタ情報の条件に合致したイベント事象を抽出する抽出ステップと、
前記デジタル放送信号に関する番組情報を取得する取得ステップと、
前記デジタル放送信号を録画情報として記録する記録ステップと、
前記条件に合致したイベント事象に基づいて前記録画情報にチャプタ情報を設定するチャプタ設定ステップと、
外部操作に従って前記チャプタ情報が削除された場合に、削除されたチャプタ情報に基づきチャプタ学習情報を前記フィルタ情報に設定し、前記番組情報と関連づけて記憶する学習ステップとを有することを特徴とするチャプタ自動記録方法。
【請求項５】
前記チャプタ設定ステップは、前記学習ステップで前記チャプタ学習情報を設定後に、受信するデジタル放送信号に関する番組情報が前記チャプタ学習情報の番組情報と一致する場合に、前記チャプタ学習情報に基づいてチャプタ情報を設定することを特徴とする請求項４に記載のチャプタ自動記録方法。
【請求項６】
デジタル放送信号を受信し、前記デジタル放送信号を復調するチューナ部と、
前記デジタル放送信号に含まれるイベント事象を抽出するイベント事象抽出部と、
前記デジタル放送信号を録画情報として記録する記録部と、
前記イベント事象に基づいて前記録画情報にチャプタ情報を設定するチャプタ設定部とを有することを特徴とするチャプタ自動記録装置。
【請求項７】
デジタル放送信号を受信し、前記デジタル放送信号を復調するチューナ部と、
前記デジタル放送信号より、予め定めたフィルタ情報の条件に合致したイベント事象を抽出するイベント事象抽出部と、
前記デジタル放送信号を録画情報として記録する記録部と、
前記条件に合致したイベント事象に基づいて前記録画情報にチャプタ情報を設定するチャプタ設定部とを有することを特徴とするチャプタ自動記録装置。
【請求項８】
録画情報としてのデジタル放送信号より、予め定めたフィルタ情報の条件に合致したイベント事象を抽出する抽出ステップと、
前記条件に合致したイベント事象に基づいて前記録画情報にチャプタ情報を設定するチャプタ設定ステップとを有することを特徴とするチャプタ自動記録方法。
【請求項９】
録画情報としてのデジタル放送信号より、予め定めたフィルタ情報の条件に合致したイベント事象を抽出するイベント事象抽出部と、
前記条件に合致したイベント事象に基づいて前記録画情報にチャプタ情報を設定するチャプタ設定部とを有することを特徴とするチャプタ自動記録装置。
【発明の詳細な説明】
【技術分野】
【０００１】
本発明は、記録番組にチャプタを設定可能なチャプタ自動記録方法およびチャプタ自動記録装置に関し、デジタル放送の番組を記録する際に、特に複雑な条件設定をすることなく記録番組の内容に沿ったチャプタ情報を自動で設定可能なチャプタ自動記録方法およびチャプタ自動記録装置に関する。
【背景技術】
【０００２】
従来の技術として、放送信号に含まれる文字情報に基づいて自動でチャプタ情報を設定するチャプタ自動記録装置がある（例えば、特許文献１）。
【０００３】
このチャプタ自動記録装置によると、デジタル放送信号を情報として記録中に、信号に含まれる文字情報、例えば字幕情報やＢＭＬ（Ｂｒｏａｄｃａｓｔ  Ｍａｒｋｕｐ  Ｌａｎｇｕａｇｅ）文章等を抽出し、それらに含まれる文字情報が予め設定された文字列条件に一致する場合に、記録中の情報に対してチャプタ情報を設定する。チャプタ情報は、視聴者の設定した条件に基づいて設定されるため、記録された情報を再生して視聴する際に所望のシーンを容易に検索できる。
【特許文献１】特開２００５−２７７９８４号公報
【発明の開示】
【発明が解決しようとする課題】
【０００４】
しかし、従来のチャプタ自動記録装置によると、予め設定された文字列条件に合致した文字情報が含まれるシーンにチャプタ情報を付加するため、視聴したい特定のシーンについてチャプタ情報を付加するには有効だが、テレビ番組のような複数のコーナーからなる映像に、番組構成および番組進行に従ってチャプタ情報を付加するには、複雑な文字列条件の設定が必要となる。
【０００５】
また、従来のチャプタ自動記録装置によると、デジタル放送信号に含まれる文字列をすべて検索する必要があり、検索のための処理コストが高いという問題がある。
【０００６】
従って、本発明の目的は、複雑な条件設定をすることなく記録番組の内容に沿ったチャプタ情報を自動で設定可能なチャプタ自動記録方法およびチャプタ自動記録装置を提供することにある。
【課題を解決するための手段】
【０００７】
（１）本発明は上記目的を達成するため、デジタル放送信号を受信する受信ステップと、前記デジタル放送信号に含まれるイベント事象を抽出する抽出ステップと、前記デジタル放送信号を録画情報として記録する記録ステップと、前記イベント事象に基づいて前記録画情報にチャプタ情報を設定するチャプタ設定ステップとを有することを特徴とするチャプタ自動記録方法を提供する。
【０００８】
このような方法によれば、放送局が設定して送信するイベント事象をトリガーとしてチャプター情報を設定するため、番組内容に沿ってチャプター情報を設定することが可能となる。
【０００９】
（２）また、本発明は上記目的を達成するため、デジタル放送信号を受信する受信ステップと、前記デジタル放送信号より、予め定めたフィルタ情報の条件に合致したイベント事象を抽出する抽出ステップと、前記デジタル放送信号を録画情報として記録する記録ステップと、前記条件に合致したイベント事象に基づいて前記録画情報にチャプタ情報を設定するチャプタ設定ステップとを有することを特徴とするチャプタ自動記録方法を提供する。
【００１０】
このような方法によれば、（１）の効果に加え、番組進行に無関係なイベント事象を排除するため、番組内容により忠実にチャプタ情報を設定することが可能となる。
【００１１】
（３）また、本発明は上記目的を達成するため、デジタル放送信号を受信する受信ステップと、前記デジタル放送信号より、予め定めたフィルタ情報の条件に合致したイベント事象を抽出する抽出ステップと、前記デジタル放送信号を録画情報として記録する記録ステップと、前記条件に合致したイベント事象に基づいて前記録画情報にチャプタ情報を設定するチャプタ設定ステップと、外部操作に従って前記チャプタ情報が削除された場合に、削除されたチャプタ情報に基づきチャプタ学習情報を前記フィルタ情報に設定する学習ステップとを有することを特徴とするチャプタ自動記録方法を提供する。
【００１２】
このような方法によれば、（２）の効果に加え、ユーザーが削除したチャプタに基づきフィルタ情報を更新するため、更新されたフィルタ情報を用いることで、番組内容およびユーザーの意向に忠実にチャプタ情報を設定することができる。
【００１３】
（４）また、本発明は上記目的を達成するため、デジタル放送信号を受信する受信ステップと、前記デジタル放送信号より、予め定めたフィルタ情報の条件に合致したイベント事象を抽出する抽出ステップと、前記デジタル放送信号に関する番組情報を取得する取得ステップと、前記デジタル放送信号を録画情報として記録する記録ステップと、前記条件に合致したイベント事象に基づいて前記録画情報にチャプタ情報を設定するチャプタ設定ステップと、外部操作に従って前記チャプタ情報が削除された場合に、削除されたチャプタ情報に基づきチャプタ学習情報を前記フィルタ情報に設定し、前記番組情報と関連づけて記憶する学習ステップとを有することを特徴とするチャプタ自動記録方法を提供する。
【００１４】
このような方法によれば、（３）の効果に加え、学習情報を番組情報と関連づけて記憶するため、番組の種類に応じてより詳細なチャプタ情報の設定が可能となる。
【００１５】
（５）また、本発明は上記目的を達成するため、デジタル放送信号を受信し、前記デジタル放送信号を復調するチューナ部と、前記デジタル放送信号に含まれるイベント事象を抽出するイベント事象抽出部と、前記デジタル放送信号を録画情報として記録する記録部と、前記イベント事象に基づいて前記録画情報にチャプタ情報を設定するチャプタ設定部とを有することを特徴とするチャプタ自動記録装置を提供する。
【００１６】
このような構成によれば、（１）の効果を有するチャプタ自動記録装置が可能となる。
【００１７】
（６）また、本発明は上記目的を達成するため、デジタル放送信号を受信し、前記デジタル放送信号を復調するチューナ部と、前記デジタル放送信号より、予め定めたフィルタ情報の条件に合致したイベント事象を抽出するイベント事象抽出部と、前記デジタル放送信号を録画情報として記録する記録部と、前記条件に合致したイベント事象に基づいて前記録画情報にチャプタ情報を設定するチャプタ設定部とを有することを特徴とするチャプタ自動記録装置を提供する。
【００１８】
このような構成によれば、（２）の効果を有するチャプタ自動記録装置が可能となる。
【００１９】
（７）また、本発明は上記目的を達成するため、録画情報としてのデジタル放送信号より、予め定めたフィルタ情報の条件に合致したイベント事象を抽出する抽出ステップと、前記条件に合致したイベント事象に基づいて前記録画情報にチャプタ情報を設定するチャプタ設定ステップとを有することを特徴とするチャプタ自動記録方法を提供する。
【００２０】
このような方法によれば、録画済みのデジタル放送の番組に対して（２）と同様の効果を有するチャプタ自動記録方法が可能となる。
【００２１】
（８）また、本発明は上記目的を達成するため、録画情報としてのデジタル放送信号より、予め定めたフィルタ情報の条件に合致したイベント事象を抽出するイベント事象抽出部と、前記条件に合致したイベント事象に基づいて前記録画情報にチャプタ情報を設定するチャプタ設定部とを有することを特徴とするチャプタ自動記録装置を提供する。
【００２２】
このような構成によれば、（７）と同様の効果を有するチャプタ自動記録装置が可能となる。
【発明の効果】
【００２３】
本発明によれば、記録番組の構成に従って自動でチャプタ情報を設定することができる。
【発明を実施するための最良の形態】
【００２４】
以下に、本発明のチャプタ自動記録方法およびチャプタ自動記録装置の実施の形態例を、図面を参照して詳細に説明する。
【００２５】
〔第１の実施の形態例〕
（チャプタ自動記録装置の構成）
図１は、第１の実施の形態例に関するチャプタ自動記録装置の斜視図である。
【００２６】
このチャプタ自動記録装置１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部１４０と、ポインティングデバイスとしてのタッチパッド１４１、および決定スイッチ１４２とを有する。可動部２１は、文字や画像等を表示する表示部１２を有する。
【００２７】
（チャプタ自動記録装置の構成）
図２は、第１の実施の形態例に関するチャプタ自動記録装置の概略構成図である。
【００２８】
このチャプタ自動記録装置１は、インターネットや他の映像機器と通信可能な通信部１０と、映像および音声情報を受信して信号変換するチューナ部１１と、図１に示す液晶表示部２１０を含み文字や画像を表示する表示部１２と、表示部１２の表示に関する制御を行う表示制御部１２Ａと、音声情報を出力する音声出力部１３と、チャプタ自動記録装置１を操作し、図１に示す文字入力部２００とタッチパッド２０１と決定スイッチ２０２を含む操作部１４と、情報を磁気情報として記憶する記録部１５と、チャプタ自動記録装置１の各部を統括し、動作させる制御部１６とを有する。
【００２９】
制御部１６は、デジタル放送視聴部１６０を有し、チューナ部１１を介して受信したデジタル放送の信号をデコードする。また、録画時は受信した信号を記録部１５へ記録する。
【００３０】
記録部１５は、制御部１６より受信した映像情報が格納される録画情報１５０とチャプタを設定する条件が格納されるフィルタＤＢ（Ｄａｔａ  Ｂａｓｅ）１５２を有する。録画情報１５０は、映像のチャプタ開始位置やチャプタタイトル等を含むチャプタ情報１５１を有する。フィルタＤＢ１５２は、チャプタ設定の条件を学習するチャプタ学習情報１５３を有する。
【００３１】
図３は、第１の実施の形態例に関するデジタル放送視聴部の概略構成図である。
【００３２】
デジタル放送視聴部１６０は、制御部１６にて動作するソフトウェアであり、チューナ部１１において複合されたデジタル放送の信号をデータ種別ごとに振り分けるデマルチプレクサ１６００と、デマルチプレクサ１６００より映像信号を受信してデコードするビデオデコーダ１６０１と、デマルチプレクサ１６００より字幕信号を受信してデコードする字幕デコーダ１６０２と、デマルチプレクサ１６００よりセクションデータを受信して処理をするセクションデータフィルタ１６０３と、デマルチプレクサ１６００より音声信号を受信してデコードするオーディオデコーダ１６０４とを有する。
【００３３】
また、デジタル放送視聴部１６０は、デマルチプレクサ１６００より所定のチャンネルの放送信号を受信し記録部１５に録画情報１５０として記憶するパーシャルトランスポートストリームライタ１６０５と、セクションデータフィルタ１６０３よりＥＰＧ情報を受信して処理するＥＰＧ処理部１６０６と、セクションデータフィルタ１６０３よりイベント事象に基づいた信号を受信して録画情報１５０にチャプタ情報１５１を設定するチャプタ設定部１６０７と、セクションデータフィルタ１６０３よりイベント事象を受信して処理するデータ放送ブラウザ１６０８と、入力された複数の映像信号を合成して表示部１２に出力するビデオミキサー１６０９と、入力された複数の音声信号を合成して音声出力部１３へ出力するオーディオミキサー１６１０とを有する。
【００３４】
（デジタル放送信号の構成）
図４は、第１の実施の形態例に関するデジタル放送信号の概略構成図である。
【００３５】
デジタル放送信号１１Ａは、動画の映像、音声、字幕信号およびセクションデータを含み、これらはデマルチプレクサ１６００により分離される。ストリーム１１０は、複数のピクチャよりなるフレーム１１００を時間軸に沿って並べた構成となっている。セクションデータ１１１は、複数のデータの種類があり、特定のセクションデータ中にイベント事象１１１０が含まれる。
【００３６】
図５は、第１の実施の形態例に関するイベント事象の例を示す概略構成図である。
【００３７】
「Ｅｖｅｎｔ  Ｍａｓｓａｇｅ  Ｆｉｒｅｄ」は、放送局からのメッセージの発生を通知する割り込み事象で、メッセージの識別情報およびメッセージの内容を有する。例えば、コンテンツ画面にて、番組の進行に合わせてキャラクターの吹き出しに文章を表示する等の動作に使用される。
【００３８】
「Ｍｏｄｕｌｅ  Ｕｐｄａｔｅｄ」は、イベント事象１１１０に含まれるモジュールのバージョンの更新バージョンを検出したことを通知する割り込み事象で、モジュールの識別情報を有する。このイベント事象の発生を期に、コンテンツ画面の更新が開始される。例えば、スポーツ番組等で、ゲーム進行に合わせて頻繁に検出される。
【００３９】
「Ｄａｔａ  Ｅｖｅｎｔ  Ｃｈａｎｇｅｄ」は、現在再生中のＢＭＬ文書が含まれるコンポーネントのＤａｔａ  Ｅｖｅｎｔ  Ｉｄの更新を通知する割り込み事象である。
【００４０】
「ＮＰＴ  Ｒｅｆｅｒｒｅｄ」は、ＮＰＴ（Ｎｏｒｍａｌ  Ｐｌａｙ  Ｔｉｍｅ）参照記述子を受信したことを通知する割り込み事象で、ＮＰＴの識別情報を有する。
【００４１】
「Ｍｏｄｕｌｅ  Ｌｏｃｋｅｄ」は、指定されたモジュールがロックされたことを通知する割り込み事象で、モジュールの識別情報を有する。Ｍｏｄｕｌｅ  Ｕｐｄａｔｅｄを実行後に、スクリプトによりモジュールのロックを要求することが可能で、ロックした場合、ロック処理が完了した瞬間にこのイベント事象が発生する。
【００４２】
「Ｔｉｍｅｒ  Ｆｉｒｅｄ」は、指定した時刻に発生するタイマーの発火を通知する割り込み事象で、タイマーの識別情報を有する。
【００４３】
「ＣＣ  Ｓｔａｔｕｓ  Ｃｈａｎｇｅｄ」は、字幕の言語選択および表示状態の切替が発生したことを通知する割り込み事象で、字幕の識別情報を有する。主に、ユーザが言語選択をするためにリモコン等のスイッチを押下することがトリガーとなるイベント事象である。
【００４４】
「Ｍａｉｎ  Ａｕｄｉｏ  Ｓｔｒｅａｍ  Ｃｈａｎｇｅｄ」は、メインの音声に関して選択切替が生じたことを通知する割り込み事象で、音声の識別情報を有する。主に、ユーザが音声切替をするためにリモコン等のスイッチを押下することがトリガーとなるイベント事象である。
【００４５】
例えば、フィルタＤＢ１５２は、図５のＡに属するイベント事象についてチャプタを設定し、Ｂに属するイベント事象についてチャプタを設定しないといったような条件を有するものとする。
【００４６】
また、フィルタＤＢ１５２は、番組ごとにチャプタ設定をするイベント事象を設定したり、番組のジャンルごとにチャプタ設定をするイベント事象を設定することにより、番組内容に沿った処理が可能となる。
【００４７】
（動作）
以下に、第１の実施の形態例におけるチャプタ自動記録装置の動作を図１から図７を参照しつつ説明する。
【００４８】
チューナ部１１は、デジタル放送信号１１Ａを受信し、チューナ部１１の出力は、制御部１６のデジタル放送視聴部１６０において処理される。デマルチプレクサ１６００は、チューナ部１１の出力を映像信号、字幕信号、セクションデータ、および音声信号に分割し、それぞれビデオデコーダ１６０１、字幕デコーダ１６０２、セクションデータフィルタ１６０３、およびオーディオデコーダ１６０４へと送信する。分割された各信号は各部でデコードされ、ビデオミキサー１６０９およびオーディオミキサー１６１０へ送信され、表示部１２および音声出力部１３にて出力される。
【００４９】
セクションデータにはＥＰＧ情報も含まれており、ＥＰＧ情報はＥＰＧ処理部１６０６において処理される。セクションデータ中のイベント事象はセクションデータフィルタにて処理され、データ放送に関するものはデータ放送ブラウザ１６０８にて処理されてビデオミキサー１６０９およびオーディオミキサー１６１０へ送信される。
【００５０】
番組を録画する場合は、デマルチプレクサ１６００により複数の番組を有するデジタル放送信号より所望のコンポーネントを抽出して、パーシャルトランスポートストリームライタ１６０５を介して記録部１５に録画情報１５０として記録される。
【００５１】
デジタル放送信号１１Ａのセクションデータ１１１は、セクションデータフィルタ１６０３にてフィルタリングされ、フィルタＤＢ１５２の条件と合致したイベント事象１１１０に基づいてチャプタ設定部１６０７が動作し、チャプタ情報１５１を更新する。
【００５２】
図６は、第１の実施の形態例に関するデジタル放送信号の概略構成図である。
【００５３】
複数のイベント事象１１１０のうち、セクションデータフィルタ１６０３においてフィルタＤＢ１５２の条件に合致したものは、適合イベント事象１１１０ａとなる。チャプタ設定部１６０７は、適合イベント事象１１１０ａに基づいてイベント事象実行の時刻と同タイミングのフレームをチャプタ開始位置フレーム１１００ａとしてチャプタ情報１５１を更新する。
【００５４】
図７は、第１の実施の形態例に関するチャプタ自動記録装置の動作を示すフローチャートである。
【００５５】
まず、録画が開始されると、デジタル放送視聴部１６０は、チューナ部１１によって受信したデジタル放送信号１１Ａを処理し、記録部１５に録画情報１５０として記録を開始する（Ｓ１０）。次に、セクションデータフィルタ１６０３は、デマルチプレクサ１６００にてデジタル放送信号１１Ａより抽出されたセクションデータ１１１を受信する（Ｓ１１）。
【００５６】
セクションデータ１１１中にイベント事象が含まれている場合（Ｓ１２；Ｙｅｓ）、セクションデータフィルタ１６０３は、フィルタＤＢを呼び出してイベント事象１１１０が条件に合致するか検証する（Ｓ１３）。フィルタ対象ではなく、条件に合致するイベント事象である場合（Ｓ１３；Ｎｏ）は、イベント事象を適合イベント事象１１１０ａとし、チャプタ設定部１６０７によって適合イベント事象１１１０ａに基づいた時刻のフレームをチャプタ開始位置フレーム１１００ａとしてチャプタ情報１５１を更新する（Ｓ１４）。
【００５７】
次に、セクションデータフィルタ１６０３は、適合イベント事象１１１０ａが含まれるセクションデータ１１１を通常どおりに処理してイベント事象を実行する（Ｓ１５）。また、セクションデータ１１１中にイベント事象が含まれていない場合（Ｓ１２；Ｎｏ）、また、イベント事象１１１０が条件に合致しない場合（Ｓ１３；Ｙｅｓ）もセクションデータ１１１を実行する（Ｓ１５）。
【００５８】
以上に記したＳ１１〜Ｓ１５の動作は、録画が終了するまで繰り返される（Ｓ１６；Ｎｏ）。録画が終了すると（Ｓ１６；Ｙｅｓ）、以上の処理は終了する。
【００５９】
（第１の実施の形態例の効果）
上記した第１の実施の形態例によると、イベント事象の種類により番組のチャプタ設定を実行するため、複雑な文字列を条件として設定することなくチャプタ設定が可能となる。
【００６０】
また、フィルタＤＢ１５２は、番組ごとにチャプタ設定をするイベント事象を設定したり、番組のジャンルごとにチャプタ設定をするイベント事象を設定することにより、番組内容に沿った処理が可能となる。
【００６１】
なお、チャプタ設定はデジタル放送を録画した映像ファイルについても同様の処理が可能である。ただし、映像ファイルにストリーム１１０と同時にセクションデータ１１１を記録していることを条件とする。
【００６２】
〔第２の実施の形態例〕
図８は、第２の実施の形態例におけるチャプタ自動記録装置の動作を示すフローチャートである。なお、以下の説明において、第１の実施の形態例と同一の構成および機能を有する部分については共通の符号を付している。
【００６３】
まず、録画が開始されると、デジタル放送視聴部１６０は、チューナ部１１によって受信したデジタル放送信号１１Ａを処理し、記録部１５に録画情報１５０として記録を開始する（Ｓ２０）。次に、セクションデータフィルタ１６０３は、デマルチプレクサ１６００にてデジタル放送信号１１Ａより抽出されたセクションデータ１１１を受信する（Ｓ２１）。
【００６４】
セクションデータ１１１中にイベント事象が含まれている場合（Ｓ２２；Ｙｅｓ）、イベント事象を適合イベント事象１１１０ａとし、チャプタ設定部１６０７によって適合イベント事象１１１０ａに基づいた時刻のフレームをチャプタ開始位置フレーム１１００ａとしてチャプタ情報１５１を更新する（Ｓ２３）。
【００６５】
次に、セクションデータフィルタ１６０３は、適合イベント事象１１１０ａが含まれるセクションデータ１１１を実行する（Ｓ２４）。また、セクションデータ１１１中にイベント事象が含まれていない場合（Ｓ２２；Ｎｏ）、もセクションデータ１１１を実行する（Ｓ２４）。以上に記したＳ２１〜Ｓ２４の動作は、録画が終了するまで繰り返される（Ｓ１６；Ｎｏ）。
【００６６】
次に、録画終了（Ｓ２５；Ｙｅｓ）の後、ユーザーによって不要なチャプタが削除された場合（Ｓ２６；Ｙｅｓ）、削除されたチャプタを登録したイベント事象については今後チャプタを設定しないものとしてチャプタ学習情報１５３に登録する（Ｓ２７）。
【００６７】
チャプタ学習情報１５３は、次回以降のチャプタ設定にフィルタＤＢ１５２として用いられる。また、チャプタ学習情報１５３は、シリーズものの番組に設定して使用してもよいし、すべての番組に設定するものであってもよい。
【００６８】
（第２の実施の形態例の効果）
上記した実施の形態によると、ユーザーの操作履歴によってチャプタ設定を学習するため、番組の進行により忠実に沿ったチャプタ設定が可能となる。
【図面の簡単な説明】
【００６９】
【図１】第１の実施の形態例に関するチャプタ自動記録装置の斜視図である。
【図２】第１の実施の形態例に関するチャプタ自動記録装置の概略構成図である。
【図３】第１の実施の形態例に関するデジタル放送視聴部の概略構成図である。
【図４】第１の実施の形態例に関するデジタル放送信号の概略構成図である。
【図５】第１の実施の形態例に関するイベント事象の例を示す概略構成図である。
【図６】第１の実施の形態例に関するデジタル放送信号の概略構成図である。
【図７】第１の実施の形態例に関するチャプタ自動記録装置の動作を示すフローチャートである。
【図８】第２の実施の形態例におけるチャプタ自動記録装置の動作を示すフローチャートである。
【符号の説明】
【００７０】
１…チャプタ自動記録装置、１０…通信部、１１…チューナ部、１１Ａ…デジタル放送信号、１２…表示部、１２Ａ…表示制御部、１３…音声出力部、１４…操作部、１５…記録部、１６…制御部、２０…本体部、２１…可動部、１１０…ストリーム、１１１…セクションデータ、１４０…文字入力部、１４１…タッチパッド、１４２…決定スイッチ、１５０…録画情報、１５１…チャプタ情報、１５２…フィルタＤＢ、１５３…チャプタ学習情報、１６０…デジタル放送視聴部、２００…文字入力部、２０１…タッチパッド、２０２…決定スイッチ、２１０…液晶表示部、２１１…ヒンジ部、１１００…フレーム、１１００ａ…チャプタ開始位置フレーム、１１１０…イベント事象、１１１０ａ…適合イベント事象、１６００…デマルチプレクサ、１６００…デマルチプレクサ、１６０１…ビデオデコーダ、１６０２…字幕デコーダ、１６０３…セクションデータフィルタ、１６０４…オーディオデコーダ、１６０５…パーシャルトランスポートストリームライタ、１６０６…ＥＰＧ処理部、１６０７…チャプタ設定部、１６０８…データ放送ブラウザ、１６０９…ビデオミキサー、１６１０…オーディオミキサー
【図１】
2008011248.tif 000003
【図２】
2008011248.tif 000004
【図３】
2008011248.tif 000005
【図４】
2008011248.tif 000006
【図５】
2008011248.tif 000007
【図６】
2008011248.tif 000008
【図７】
2008011248.tif 000009
【図８】
2008011248.tif 000010